(57)【特許請求の範囲】
【請求項１】
柔軟性のある吸水性材料からなる汚液吸収部材を、内視鏡の処置具挿入口周辺の上側の外壁面と下側の外壁面とを覆うように内視鏡に対して着脱自在に設けると共に、上記汚液吸収部材に、上記処置具挿入口部分を覆脱自在な自由端部を設けたことを特徴とする内視鏡の汚液飛散防止具。
【請求項２】
上記汚液吸収部材が、上記内視鏡の処置具挿入口周辺の上側の外壁面を覆うためのものと、下側の外壁面を覆うためのものとに分離して形成されていて、その一方に上記自由端部が設けられている請求項１記載の内視鏡の汚液飛散防止具。
【請求項３】
上記汚液吸収部材が、全体として一繋がりに形成されている請求項１記載の内視鏡の汚液飛散防止具。
【請求項４】
上記処置具挿入口部分が上記外壁面から突出して形成されており、その突出部が通される孔が上記汚液吸収部材に形成されている請求項３記載の内視鏡の汚液飛散防止具。
【請求項５】
上記汚液吸収部材を上記外壁面に着脱自在に係止するための係止部材が設けられている請求項１、２、３又は４記載の内視鏡の汚液飛散防止具。
【請求項６】
上記係止部材が、環状の一部を切り欠いた断面形状の弾性材によって形成されていて、上記汚液吸収部材を外側から上記外壁面に押圧固定するようになっている請求項５記載の内視鏡の汚液飛散防止具。
【発明の詳細な説明】
【０００１】
【発明の属する技術分野】
この発明は、処置具挿入口からの体腔内汚液の飛散を防止するための内視鏡の汚液飛散防止具に関する。
【０００２】
【従来の技術】
内視鏡には一般に、処置具類を通すための処置具挿通チャンネルが挿入部内に挿通されていて、その処置具出口は挿入部の先端において開口し、処置具挿入口は操作部において開口している。
【０００３】
ただし、そのままでは、体腔内の圧力によって体腔内の汚液が処置具挿通チャンネル内を通って操作部側の処置具挿入口から噴出し、術者やその周囲を汚染してしまうことになる。
【０００４】
そこで、そのような汚液噴出を阻止し、且つ処置具挿通チャンネルに対する処置具の挿脱を行うことができるように、処置具挿入口部分には、例えばスリットが形成されたゴム弁からなるいわゆる鉗子栓が装着されている。
【０００５】
【発明が解決しようとする課題】
しかし、鉗子栓に処置具が通されると、ゴム弁のスリットが押し広げられてスリットの端の方の部分では処置具の外周面との間に隙間ができ、その部分から汚液が噴出する場合が少なくない。特に、コイルパイプをシースとする処置具の場合は、外周面に螺旋状に隙間があるので汚液が噴出し易い。
【０００６】
また、シース内に操作ワイヤ等が進退自在に挿通された処置具の場合には、シースと操作ワイヤとの間に隙間があるので、その部分を通って汚液が噴出する場合がある。
【０００７】
図９は、内視鏡の挿入部１を患者の肛門から大腸内に挿入して、腸内の内視鏡検査を行っている状態を示している。処置具挿入口３は操作部２の下端部前側に、斜め上方に向けて突設されている。
【０００８】
大腸内に内視鏡を挿入する際には、腸を膨らませるために送気をするので、腸内の圧力が高くなって、腸内の空気がおならのように吹き出す。空気を出さないと患者が大きな苦痛を感じるので、これは避けられない現象であるが、その際に、下剤等に溶けた糞便等が空気と一緒に処置具挿入口３から噴出する。
【０００９】
そのようにして、糞便等を含む体腔内汚液が処置具挿入口３から噴出すると、上方に位置する術者の顔や手に汚液がかかったり周囲に飛散すると共に、処置具挿入口３の口元から下方にしたたり落ちてベッドや患者の肌等を汚し、非常に不衛生な状態になってしまう場合がある。
【００１０】
そこで本発明は、処置具挿入口から体腔内汚液が周囲に飛び散らず、内視鏡検査を衛生的に行うことができる内視鏡の汚液飛散防止具を提供することを目的とする。
【００１１】
【課題を解決するための手段】
上記の目的を達成するため、本発明の内視鏡の汚液飛散防止具は、柔軟性のある吸水性材料からなる汚液吸収部材を、内視鏡の処置具挿入口周辺の上側の外壁面と下側の外壁面とを覆うように内視鏡に対して着脱自在に設けると共に、上記汚液吸収部材に、上記処置具挿入口部分を覆脱自在な自由端部を設けたことを特徴とする。
【００１２】
なお、上記汚液吸収部材が、上記内視鏡の処置具挿入口周辺の上側の外壁面を覆うためのものと、下側の外壁面を覆うためのものとに分離して形成されていて、その一方に上記自由端部が設けられていてもよい。
【００１３】
また、上記汚液吸収部材が、全体として一繋がりに形成されていてもよい。そして、上記処置具挿入口部分が上記外壁面から突出して形成されており、その突出部が通される孔が上記汚液吸収部材に形成されていてもよい。
【００１４】
また、上記汚液吸収部材を上記外壁面に着脱自在に係止するための係止部材が設けられていてもよく、上記係止部材が、環状の一部を切り欠いた断面形状の弾性材によって形成されていて、上記汚液吸収部材を外側から上記外壁面に押圧固定するようになっていてもよい。
【００１５】
【発明の実施の形態】
図面を参照して本発明の実施の形態を説明する。
図１において、２は内視鏡の操作部であり、その下端部に、体腔内に挿入される挿入部１が連結されている。
【００１６】
挿入部１内には、その先端に開口する処置具挿通チャンネル（図示せず）が全長にわたって挿通されている。そして、処置具挿通チャンネルの基端側は、操作部２の下端部前側に斜め上方に向けて突設された突出部４の先端に開口形成された処置具挿入口３に連通している。
【００１７】
処置具挿入口３のすぐ内側の突出部４内には、通常は閉じていて、処置具挿入口３から処置具挿通チャンネル内へ処置具が挿通されたときだけ押し開かれる鉗子栓（図示せず）が配置されている。
【００１８】
操作部２の下半部には、例えば柔軟性のあるガーゼ等の吸水性材料を折り返して複数枚重ね合わせて形成された汚液吸収部材１０が着脱自在に取り付けられている。
【００１９】
汚液吸収部材１０は、処置具挿入口３周辺の上側の操作部２の外壁面を覆う上側汚液吸収部材１０ａと、処置具挿入口３周辺の下側の操作部２の外周面を覆う下側汚液吸収部材１０ｂとが二つに別けて配置されている。
【００２０】
上側汚液吸収部材１０ａと下側汚液吸収部材１０ｂは、共に、処置具挿入口３が配置された操作部２の前面側から左右両側面において、操作部２の外壁面を覆うように取り付けられている。
【００２１】
上側汚液吸収部材１０ａと下側汚液吸収部材１０ｂは、共に、断面形状がＣ字状でバネ性のある金属又はプラスチックからなる係止部材１２によって、操作部２に対して着脱自在に係止されている。
【００２２】
図２は、係止部材１２によって汚液吸収部材１０が操作部２に係止された部分の平面断面を示している。
係止部材１２は、操作部２との間に汚液吸収部材１０を挟み込むようにして、操作部２の外壁面を外側から弾力的に締め付ける状態に取り付けられる。
【００２３】
その結果、汚液吸収部材１０が係止部材１２によって操作部２の外壁面に外側から押圧固定される。そして、係止部材１２を弾性変形させて操作部２の外壁面から取り外せば、汚液吸収部材１０を取り外して新しいものと交換することができる。
【００２４】
係止部材１２の外面には、直径方向に一対の指掛け突起１３が突出形成されていて、操作部２に係止部材１２を着脱する際に指先を引っ掛け易いようになっている。
【００２５】
図１に戻って、上側汚液吸収部材１０ａは、処置具挿入口３のすぐ上の部分で係止部材１２によって操作部２に係止されて、そこからさらに上方に配置されていて、操作部２を握る操作者の手の内側に握り込まれるようになっている。
【００２６】
そのようにすることにより、処置具挿入口３から噴出される汚液が手に伝わるのを防止することができると共に、操作部２の保持が滑らなくなって持ち易くなる。また、上側汚液吸収部材１０ａ自体の保持も安定したものとなる。
【００２７】
一方、下側汚液吸収部材１０ｂは、処置具挿入口３のすぐ下の部分で係止部材１２によって操作部２に係止されており、そこから下方にたらして配置されると共に、係止部材１２より上方に位置する自由端１０ｃは、処置具挿入口３部分を覆うようにその上に載せられている。
【００２８】
したがって、処置具挿通チャンネルを通ってきた体腔内の汚液が処置具挿入口３から外へ噴出しても、そのほとんどは自由端１０ｃにおいて汚液吸収部材１０に吸収されるので、周囲に飛散したり術者の手や顔にかかったりしない。
【００２９】
そして、処置具挿入口３から上方に撥ね出し或いは染み出す汚液は、上側汚液吸収部材１０ａによって吸い取られるので、操作部２を握る術者の手などが汚されない。
【００３０】
また、処置具挿入口３から下の方へしたたり落ちようとする汚液は、下側汚液吸収部材１０ｂの下半部分によって吸い取られて、それより下に落下しない。したがって、ベッドや患者の肌が汚されない。
【００３１】
処置具挿入口３から処置具を挿入する際には、図１に二点鎖線で示されるように、汚液吸収部材１０の自由端１０ｃを処置具挿入口３部分から外して、処置具を矢印Ａで示されるように処置具挿入口３に挿入すればよい。
【００３２】
図３は、本発明の第２の実施の形態を示しており、処置具挿入口３部分を覆うための汚液吸収部材１０の自由端１０ｃを、上側汚液吸収部材１０ａ側に設けたものである。この場合にも、処置具を使用する場合には、二点鎖線で示されるように、自由端１０ｃを処置具挿入口３部分から取り外せばよい。
【００３３】
図４は、本発明の第３の実施の形態の汚液吸収部材１０を示しており、操作部２の突出部４部分を通すための孔１１が中央部分に穿設されている。図５は、その汚液吸収部材１０が操作部２に取り付けられた使用状態を示しており、汚液吸収部材１０の中央部分に穿設された孔１１に突出部４が通され、処置具挿入口３の上側と下側の操作部２の外壁面が、一つの汚液吸収部材１０によって覆われている。
【００３４】
なお、処置具挿入口３部分を覆う汚液吸収部材１０の自由端１０ｃは、図５においては上側の自由端が利用されているが、下側の自由端を使用してもよい。また、係止部材１２は、処置具挿入口３より上側に一個だけ取り付けられているが、複数取り付けても差し支えない。
【００３５】
図６は、本発明の第４の実施の形態を示しており、処置具挿入口３の上側と下側とに分けて配置された汚液吸収部材１０ａ，１０ｂを、一つの係止部材１２で係止するようにしたものである。
【００３６】
係止部材１２の材料や断面形状は、図２に示される第１の実施の形態の場合と同様であるが、上側と下側の両汚液吸収部材１０ａ，１０ｂを同時に押さえられるように、縦方向に長く形成されており、中央部分には突出部４を通すための孔１２ａが形成されている。１３は、突出形成された指掛けである。
【００３７】
図７は、本発明の第５の実施の形態の汚液吸収部材１０を示しており、操作部２の外壁面に直接貼り付けるための感圧接着剤１４を、汚液吸収部材１０の裏面側に取り付けたものである。
【００３８】
図８は、その汚液吸収部材１０が操作部２に取り付けられた状態を示しており、前述の各実施の形態において用いられた係止部材１２を使用することなく、上側汚液吸収部材１０ａと下側汚液吸収部材１０ｂとが、各々感圧接着剤１４によって操作部２の外壁面に貼り付けられている。
【００３９】
感圧接着剤１４としては、いわゆる両面粘着テープ等を用いることができ、内視鏡検査が終了したら、操作部２の表面から引き剥がして、汚液吸収部材１０を新しいものと交換することができる。
【００４０】
なお、図４と図５に示される第３の実施の形態で用いられたような、全体が一繋がりに形成された汚液吸収部材１０を操作部２に係止する手段として、感圧接着剤１４を用いてもよい。
【００４１】
【発明の効果】
本発明によれば、処置具挿入口から噴出する汚液が、処置具挿入口部分を覆う汚液吸収部材の自由端部分によってまず吸収されて周囲に飛散せず、さらに、そこから上方へ撥ね出し或いは染み出す汚液は汚液吸収部材の上側部分に吸収され、下方にしたたり落ちようとする汚液は汚液吸収部材の下側部分に吸収される。したがって処置具挿入口から体腔内汚液が周囲に飛び散らず、内視鏡検査を衛生的に行うことができる。
【００４２】
そして、汚液飛散防止具は、必要に応じて内視鏡に容易に取り付け取り外し及び交換することができる。
【図面の簡単な説明】
【図１】本発明の第１の実施の形態の汚液飛散防止具が操作部に取り付けられた使用状態の側面図である。
【図２】本発明の第１の実施の形態の汚液飛散防止具の取り付け部の平面断面図である。
【図３】本発明の第２の実施の形態の汚液飛散防止具が操作部に取り付けられた使用状態の側面図である。
【図４】本発明の第３の実施の形態の汚液飛散防止具の展開図である。
【図５】本発明の第３の実施の形態の汚液飛散防止具が操作部に取り付けられた使用状態の側面図である。
【図６】本発明の第４の実施の形態の汚液飛散防止具が操作部に取り付けられた使用状態の側面図である。
【図７】本発明の第５の実施の形態の汚液飛散防止具の展開図である。
【図８】本発明の第５の実施の形態の汚液飛散防止具が操作部に取り付けられた使用状態の側面図である。
【図９】内視鏡による大腸内検査の状態を示す斜視図である。
【符号の説明】
２  操作部
３  処置具挿入口
１０  汚液吸収部材
１０ｃ  自由端
１２  係止部材
【図１】
0003634536.tif 000002
【図２】
0003634536.tif 000003
【図３】
0003634536.tif 000004
【図４】
0003634536.tif 000005
【図５】
0003634536.tif 000006
【図６】
0003634536.tif 000007
【図７】
0003634536.tif 000008
【図８】
0003634536.tif 000009
【図９】
0003634536.tif 000010